(57)【特許請求の範囲】
【請求項１】
顎堤形状に近似した緩やかな弯曲状で少なくとも患者の連続した３本の歯に対応する長さで略同一幅の平面を成す底部(１)の弯曲の外側に立設されており且つ一端側が高さが徐々に減少して底部(１)と同じ高さとなる外壁(２)と該底部(１)の弯曲の内側に円弧状部(３ａ)を介して底部(１)から上端が離れる方向に傾斜して立設されており且つ両端側が高さが徐々に減少して底部(１)と同じ高さとなる内壁(３)とを有する形状のプラスチック製の局部印象用トレーであって、該外壁(２)と該内壁(３)との上端に沿って該底部(１)側に高さ０．０１〜１ｍｍのリム(４)が設けられていると共に、該外壁(２)と該内壁(３)とにこのリム(４)の直下から底部(１)に達する幅が１．５〜４．０ｍｍの長穴状の貫通穴(５)を隣接する貫通穴(５)との間隙が貫通穴(５)の幅の２〜５倍の略等間隔になるように形成されており、且つ該底部(１)には該外壁(２)と該内壁(３)とに設けられている該長穴状の貫通穴(５)の隣接する間隔の中央に直径が３〜６ｍｍの円形貫通穴(６)が形成されていると共に、該底部(１)の両端であって該外壁(２)と該内壁(３)の最も端部側に位置する各長穴状の貫通穴(５)の底部側端部を結ぶ線より端部側に幅が１．０〜３．０ｍｍで長さが５〜１５ｍｍの長穴状の端部側貫通穴(７)の長穴の延在方向が該底部(１)の弯曲の軸方向に対して直角に設けられていることを特徴とする局部印象用トレー。
【請求項２】
外壁(２)と内壁(３)とに設けられている長穴状の貫通穴(５)の幅が、２．０〜３．０ｍｍ，長さが幅の２〜３倍である請求項１に記載の局部印象用トレー。
【請求項３】
外壁(２)と内壁(３)とに設けられている長穴状の貫通穴(５)の間隔が、３〜１８ｍｍである請求項１又は２に記載の局部印象用トレー。
【請求項４】
リム(４)の高さが、０．１〜０．３ｍｍである請求項１から３のいずれか１項に記載の局部印象用トレー。
【請求項５】
外壁(２)の上端に沿って底部(１)と反対側に高さ０．０１〜１ｍｍのリム(４’)がそれぞれ設けられている請求項１から４のいずれか１項に記載の局部印象用トレー。
【発明の詳細な説明】
【技術分野】
【０００１】
本発明は、歯科において補綴物として部分義歯やブリッジやインレー等の作製等を行う準備段階として口腔内の局部の印象採得を行う際に用いるプラスチック製の局部印象採得用のトレーであり、硬化後の印象材がトレーから浮き上がることや剥離してしまうことを防止することで精度の高い印象採得を行うことができる局部用印象用トレーに関する。
【背景技術】
【０００２】
歯科治療において、補綴物の作製を行う準備段階として口腔内の印象採得を行う際には、シリコーン印象材やアルジネート印象材等の印象材が使用される。このような印象材を口腔内に挿入して保持するためには、印象採得用トレーが用いられる。印象採得においては、印象採得用トレーに印象材を盛り上げて患者の口腔内に挿入し、印象材を印象採得を行う患者の口腔内の部位に押し付けて印象材が硬化した後に、印象採得用トレー中に硬化した印象材が保持された状態で一体として患者の口腔内から取り出される。
【０００３】
硬化した印象材を口腔内から撤去する際には、大きな力が必要であり、その結果、硬化後の印象材が印象採得用トレーから浮き上がって印象採得用トレーから剥がれてしまい、印象採得用トレーと印象材との間に空隙が発生する問題がある。この空隙ができるときには印象材が硬化した最初の状態から変形してしまうことが多く、作製される歯科用補綴物の精度が著しく低下してしまうこととなる。更に印象材は、硬化後、反応、水分の揮発により収縮する特性を有しているので、印象材が印象採得用トレーから剥離していると、この収縮による影響が大きくなって歯科用補綴物の精度がより低下することにもなる。そこで印象採得用トレーには、印象材を患者の口腔内に挿入し硬化した印象材を患者の口腔内から変形させることなく撤去できる性能が重要となる。
【０００４】
通常、印象採得用トレーには、硬化した印象材を機械的に保持するための保持孔や溝が設けられている。即ち、硬化前の印象材ペーストが保持孔に入り込んでから硬化することによって硬化後の印象材とトレーとが機械的に係合するのである。特にトレー辺縁部においては、硬化した印象材が剥がれ易いので、トレーの辺縁部に沿ってアンダーカット部（リブ）を付けることが行われている。しかし、このアンダーカット部に充分な量の印象材が入ることができないため、辺縁部において剥離が生じ易くなってしまっている。また、印象採得用トレーには、金属製とプラスチック製とがあり、金属製のトレーは加工により上記のように辺縁に高さ１．５〜２．５ｍｍのアンダーカット部を設けることが容易である。一方、プラスチック製のトレーは作成時に使用する金型に影響されて成型されたトレーを撤去することができなくなってしまうために効果的な高さのアンダーカット部を設けることができない。このため、特にプラスチック製の印象用トレーにおいては、印象材のトレー辺縁からの剥離が大きく、変形も大きくなってしまう問題が発生している。
【０００５】
プラスチック製の印象用のトレーとしては、歯列形状に似た平面視弯曲状の印象材保持凹部を形成すべく底壁、内・外側壁を備え、前記底壁又は外側壁の前歯側端から前方に延びるハンドル部を備え、かつ、前記凹部の少なくとも内・外側壁に全面にわたって印象材との相対移動を阻止する多数の印象材保持孔を具備していることを特徴とする歯科印象用トレー（例えば、特許文献１参照。）がある。この特許文献１には、内外対向壁に設けた印象材保持孔が上下方向に長い長孔でかつ凹部内外方向に貫通しており（請求項２参照。）、外側壁の前歯側に設けられる印象材保持孔が凹部底壁又はハンドル部或いは両方に設けた貫通状に連通しているものが例示されている（請求項３参照。）。しかしながら、この特許文献１には前述したように内外対向壁に設けた上下方向に長い長孔の印象材保持孔が図面中に隣接する長孔の間隙が非常に狭いものだけが示されているだけで隣接する長孔の間隙や長孔の幅については全く開示が存在しない。更に、底壁には断面円形の印象材保持孔が設けられているが、この断面円形の印象材保持孔もその孔径や隣接する断面円形の印象材保持孔間の間隔については全く開示されていない。そして、開示されているトレーは口腔内の上顎と下顎の全体の印象を採得するためのものだけで、部分義歯やブリッジやインレー等の作製等を行う準備段階として口腔内の局部の印象採得を行うものについては開示されていない。
【０００６】
従って、このような特許文献１からは部分義歯やブリッジやインレー等の作製等を行う準備段階として口腔内の局部の印象採得を行うトレーにおいて、内外対向壁に設ける上下方向に長い長孔の印象材保持孔や底壁に設けられる断面円形の印象材保持孔をどのような寸法にすれば印象材を充分に保持できるかが不明であるばかりか、トレーの両端の印象材が剥がれ易いという欠点を除去する手段の開示も存在しないのである。
【先行技術文献】
【特許文献】
【０００７】
【特許文献１】特開２０００―１３５２２７号公報
【発明の概要】
【発明が解決しようとする課題】
【０００８】
本発明は、歯科において補綴物として部分義歯やブリッジやインレーの作製等を行う準備段階として口腔内の所望の部位の印象採得を行う際に用いるプラスチック製の局部印象採得用のトレーであって、硬化後の印象材のトレーからの浮き上がりや剥離を防止し、精度の高い印象採得を行うことができる局部印象用トレーを提供することを課題とする。
【課題を解決するための手段】
【０００９】
本発明者らは、前記課題を解決すべく鋭意研究の結果、プラスチック製の局部印象用トレーの全体形状を、顎堤形状に近似した緩やかな弯曲状で少なくとも患者の連続した３本の歯に対応する長さで略同一幅の平面を成す底部の弯曲の外側に立設されており且つ一端側が高さが徐々に減少して底部と同じ高さとなる外壁と該底部の弯曲の内側に円弧状部を介して底部から上端が離れる方向に傾斜して立設されており且つ両端側が高さが徐々に減少して底部と同じ高さとなる内壁とを有する形状とし、該外壁と該内壁との上端に沿って底部側に高さ０．０１〜１ｍｍのリムを設けると共に、該外壁と該内壁とにこのリムの直下から底部に達する幅が１．５〜４．０ｍｍの長穴状の貫通穴を隣接する貫通穴との間隙が貫通穴の幅の２〜５倍の略等間隔になるように形成し、且つ該底部には外壁と内壁とに設けられている長穴状の貫通穴の隣接する間隔の中央に直径が３〜６ｍｍの円形貫通穴を形成すると共に該底部の両端であって該外壁と該内壁の最も端部側に位置する各長穴状の貫通穴の底部側端部を結ぶより端部側に幅が１．０〜３．０ｍｍで長さが５〜１５ｍｍの長穴状の端部側貫通穴を該底部の弯曲の軸方向と直角に設ければ、上記課題を解決できることを究明して本発明を完成したのである。
【００１０】
そしてこのような構成において、外壁と内壁とに設けられている長穴状の貫通穴の幅が２．０〜３．０ｍｍで、長さが幅の２〜３倍であることや、外壁と内壁とに設けられている長穴状の貫通穴の間隔が３〜１８ｍｍであることや、リムの高さが１〜０．３ｍｍであることや、外壁と内壁との上端に沿って底部と反対側に高さ０．０１〜１ｍｍのリムがそれぞれ設けられていることが好ましいことも究明したのである。
【００１１】
即ち本発明は、顎堤形状に近似した緩やかな弯曲状で少なくとも患者の連続した３本の歯に対応する長さで略同一幅の平面を成す底部の弯曲の外側に立設されており且つ一端側が高さが徐々に減少して底部と同じ高さとなる外壁と該底部の弯曲の内側に円弧状部を介して底部から上端が離れる方向に傾斜して立設されており且つ両端側が高さが徐々に減少して底部と同じ高さとなる内壁とを有する形状のプラスチック製の局部印象用トレーであって、該外壁と該内壁との上端に沿って底部側に高さ０．０１〜１ｍｍのリムが設けられていると共に、該外壁と該内壁とにこのリムの直下から底部に達する幅が１．５〜４．０ｍｍの長穴状の貫通穴を隣接する貫通穴との間隙が貫通穴の幅の２〜５倍の略等間隔になるように形成されており、且つ該底部には外壁と内壁とに設けられている長穴状の貫通穴の隣接する間隔の中央に直径が３〜６ｍｍの円形貫通穴が形成されていると共に該底部の両端であって該外壁と該内壁の最も端部側に位置する各長穴状の貫通穴の底部側端部を結ぶ線より端部側に幅が１．０〜３．０ｍｍで長さが５〜１５ｍｍの長穴状の端部側貫通穴が該底部の弯曲の軸方向と直角に設けられていることを特徴とする局部印象用トレーであり、外壁と内壁とに設けられている長穴状の貫通穴の幅が２．０〜３．０ｍｍで、長さが幅の２〜３倍であることや、外壁と内壁とに設けられている長穴状の貫通穴の間隔が３〜１８ｍｍであることや、リムの高さが１〜０．３ｍｍであることや、外壁と内壁との各上端に沿って底部と反対側に高さ０．０１〜１ｍｍのリムがそれぞれ設けられていることが好ましい局部印象用トレーである。
【発明の効果】
【００１２】
本発明に係る局部印象用トレーは、顎堤形状に近似した緩やかな弯曲状で少なくとも患者の連続した３本の歯に対応する長さで略同一幅の平面を成す底部の弯曲の外側に立設されており且つ一端側が高さが徐々に減少して底部と同じ高さとなる外壁と該底部の弯曲の内側に円弧状部を介して底部から上端が離れる方向に傾斜して立設されており且つ両端側が高さが徐々に減少して底部と同じ高さとなる内壁とを有する形状のプラスチック製であって、外壁と内壁との上端に沿って底部側に高さ０．０１〜１ｍｍ、好ましくは０．１〜０．３ｍｍのリムが設けられているので、このリムの下方がアンダーカット部となるから硬化した印象材がトレーから浮き上がったり剥離したりしがたいと共にそのリムの高さが０．０１〜１ｍｍと低いので射出成型時の金型から取り出すのに邪魔にならないのである。そして、外壁と内壁とにこのリムの直下から底部に達する幅が１．５〜４．０ｍｍの長穴状の貫通穴を隣接する貫通穴との間隙が貫通穴の幅の２〜５倍の略等間隔になるように形成されているので、シリコーン印象材又はアルジネート印象材をトレー内に盛って患者の口腔内の所望の部位に押し当てて印象採得を行った際に印象材が適度にこの貫通穴内に入り込んで硬化した印象材を保持するので、硬化した印象材がトレーから浮き上がったり剥離したりしがたいのである。更に、底部には外壁と内壁とに設けられている長穴状の貫通穴の隣接する間隔の中央に直径が３〜６ｍｍの円形貫通穴が形成されているので、シリコーン印象材又はアルジネート印象材をトレー内に盛って患者の口腔内の所望の部位に押し当てて印象採得を行った際に印象材がこの円形貫通穴に入り込んで硬化した印象材を保持するのであるが、この円形貫通穴は外壁と内壁とに設けられている長穴状の貫通穴を結ぶ線上に存在しないから、トレー内の同じ部分に盛られた印象材が外壁と内壁とに設けられている長穴状の貫通穴と底部に設けられた円形貫通穴とから同時にトレー外に押し出されて硬化した印象材内に空間を生じてしまうこともないのである。そして、底部の両端であって外壁と内壁の最も端部側に位置する各長穴状の貫通穴の底部側端部を結ぶ線より端部側に幅が１．０〜３．０ｍｍで長さが５〜１５ｍｍの長穴状の端部側貫通穴が底部の弯曲の軸方向と直角に設けられているので、トレー内に盛った印象材が底部の両端部に設けられた各長穴状の端部側貫通穴に入り込んでしっかり保持されるので、底部の両端部の印象材が剥がれ易いという欠点が生じないのである。
【００１３】
そしてこのような局部印象用トレーにおいて、外壁と内壁とに設けられている長穴状の貫通穴の幅が２．０〜３．０ｍｍで、長さが幅の２〜３倍であったり、外壁と内壁とに設けられている長穴状の貫通穴の間隔が３〜１８ｍｍであると、印象採得時に印象材が長穴状の貫通穴により良好に保持されて、硬化した印象材がトレーから浮き上がったり剥離したりしがたいのである。また、外壁と内壁との上端に沿って底部と反対側に高さ０．０１〜１ｍｍのリムがそれぞれ設けられていると、外壁と内壁との上端の肉厚が厚くなって強度が向上するにも拘らず、射出成型時の金型から取り出すのに邪魔にならないのである。
【図面の簡単な説明】
【００１４】
【図１】本発明に係る局部印象用トレーの１実施例の平面図である。
【図２】図１に示した局部印象用トレーの背面図である。
【図３】図１に示した局部印象用トレーの右側面図である。
【図４】図１におけるＡ−Ａ線拡大端面図である。
【図５】図１に示した局部印象用トレーの斜視図である。
【発明を実施するための最良の形態】
【００１５】
本発明に係る局部印象用トレーは、顎堤形状に近似した緩やかな弯曲状で少なくとも患者の連続した３本の歯に対応する長さで略同一幅の平面を成す底部１の弯曲の外側に立設されており且つ一端側が高さが徐々に減少して底部１と同じ高さとなる外壁２と同じく底部１の弯曲の内側に円弧状部3aを介して底部１から上端が離れる方向に傾斜して立設されており且つ両端側が高さが徐々に減少して底部１と同じ高さとなる内壁３とを有する形状のプラスチック製の局部印象用トレーである。そして、外壁２と内壁３との上端に沿って底部１側に高さが０．０１〜１ｍｍ、好ましくは０．１〜０．３ｍｍのリム４がそれぞれ設けられている。このリム４はその下方にアンダーカット部を形成して硬化した印象材がトレーから浮き上がったり剥離したりするのを防止する作用を生じさせるためのものであり、高さが０．０１ｍｍ未満ではアンダーカット部を生じさせる効果を期待できず、１ｍｍを超えると高さが高過ぎてトレーの射出成型時に金型から取り出すのに邪魔になって良好に射出成型を行うことができない。また、外壁２と内壁３との上端に沿って底部１と反対側に高さ０．０１〜１ｍｍのリム４’が更にそれぞれ設けられていると、外壁２と内壁３との上端の肉厚が厚くなって強度が向上するにも拘らず、射出成型時の金型から取り出すのに邪魔にならないので好ましい。
【００１６】
５は外壁２と内壁３とにリム４の直下から底部１に達する幅が１．５〜４．０ｍｍの長穴状の貫通穴であり、この貫通穴５は隣接する貫通穴５との間隙が貫通穴５の幅の２〜５倍の略等間隔になるように形成されている。この長穴状の貫通穴５の幅は、１．５ｍｍ未満ではシリコーン印象材又はアルジネート印象材をトレー内に盛って患者の口腔内の所望の部位に押し当てて印象採得を行った際に印象材が適度にこの貫通穴５内に入り込まないため硬化した印象材を保持できずに抜け落ちる現象が発生するので好ましくなく、４．０ｍｍを超えるとシリコーン印象材又はアルジネート印象材をトレー内に盛って患者の口腔内の所望の部位に押し当てるだけでは圧力が足らないため正確な印象採取を行うことができないので好ましくないのである。そして、この貫通穴５の隣接する貫通穴５との間隙が貫通穴５の幅の２倍未満では、隣接する貫通穴５が近寄りすぎるためシリコーン印象材又はアルジネート印象材をトレー内に盛って患者の口腔内の所望の部位に押し当てて印象採得を行った際に圧力が足らないため正確な印象採取を行うことができず、５倍を超えると隣接する貫通穴５が離れすぎるためシリコーン印象材又はアルジネート印象材をトレー内に盛って患者の口腔内の所望の部位に押し当てて印象採得を行った際に印象材が貫通穴５内に充分入り込んで保持される効果が生じないので好ましくない。この長穴状の貫通穴５の幅は２．０〜３．０ｍｍで、長さが幅の２〜３倍であり、隣接する貫通穴５との間隙は３〜１８ｍｍであることが特に好ましい。
【００１７】
６は外壁２と内壁３とに設けられている長穴状の貫通穴５の隣接する間隔の中央に位置する底部１に形成されている直径が３〜６ｍｍの円形貫通穴である。この円形貫通穴６が外壁２と内壁３とに設けられている長穴状の貫通穴５の隣接する間隔の中央に位置する底部１に形成されていなければならないのは、シリコーン印象材又はアルジネート印象材をトレー内に盛って患者の口腔内の所望の部位に押し当てて印象採得を行った際にトレー内の同じ部位に盛られた印象材が長穴状の貫通穴５内と円形貫通穴６内とに同時に入り込んでトレー外に押し出されて硬化した印象材内に空間を生じてしまったり、印象材が患者の口腔内の所望の部位に密着しない現象が生じて良好な印象採得を行えない可能性があるからである。そしてこの円形貫通穴６の直径が３ｍｍ未満ではシリコーン印象材又はアルジネート印象材をトレー内に盛って患者の口腔内の所望の部位に押し当てて印象採得を行った際に印象材が円形貫通穴６内に充分入り込んで保持される効果が生じないので好ましくなく、直径が６ｍｍを超えると印象材が円形貫通穴６内に入り込みすぎるため印象材が患者の口腔内の所望の部位に密着しない現象が生じて良好な印象採得を行えない可能性がある。
【００１８】
７は底部１の両端であって外壁２と内壁３との最も端部側に位置する各長穴状の貫通穴５の底部側端部を結ぶ線より端部側に底部１の弯曲の軸方向と直角に設けられている幅が１．０〜３．０ｍｍで長さが５〜１５ｍｍの長穴状の端部側貫通穴である。この端部側貫通穴７が設けられているので、トレー内に盛った印象材がトレーの両端部で長穴状の端部側貫通穴７に入り込んでしっかり保持されるので、両端部の印象材が剥がれ易いという欠点が生じないのである。このような効果を奏するための長穴状の端部側貫通穴７は、その幅が１．０ｍｍ未満ではシリコーン印象材又はアルジネート印象材をトレー内に盛って患者の口腔内の所望の部位に押し当てて印象採得を行った際に印象材が端部側貫通穴７内に充分入り込んで保持される効果が生じないので好ましくなく、幅が３．０ｍｍを超えると印象材が端部側貫通穴７内に入り込みすぎるため底部１の両端部における印象材が患者の口腔内の所望の部位に密着しない現象が生じて良好な印象採得を行えない可能性がある。
【００１９】
８は底部１の一方の端部の底面に設けられているハンドル部であり、底部１に固定されていても、また本出願人が提案した特願２０１１−２１７７５３号のように底部１の底面の所定の位置に着脱自在な構造であってもよい。
【００２０】
このような本発明に係る局部印象用トレーは、外壁２と内壁３との間の底部１上にペースト状のシリコーン印象材又はアルジネート印象材を盛って患者の口腔内の所望の部位に押し当てて印象採得を行うと、印象材は外壁２側と内壁３側とに押し広げられてリム４の下方にアンダーカット部に当接するので硬化後にトレーから浮き上がったり剥離したりすることが防止されるのである。また、外壁２と内壁３とのリム４の直下から底部１に達する幅が１．５〜４．０ｍｍの長穴状の貫通穴５内、及び外壁２と内壁３とに設けられている長穴状の貫通穴５の隣接する間隔の中央に位置する底部１に形成されている直径が３〜６ｍｍの円形貫通穴６内にもそれぞれ適度に入り込んで硬化した印象材が保持されるのである。このような硬化した印象材の保持効果は、長穴状の貫通穴５の幅が２．０〜３．０ｍｍで、長さが幅の２〜３倍である場合や、長穴状の貫通穴５の間隔が３〜１８ｍｍである場合がより高くなって好ましいのである。
【００２１】
更に、底部１の両端部においては、外壁２と内壁３との両端部に位置する各長穴状の貫通穴５の底部側端部を結ぶ線より端部側に底部１の弯曲の軸方向と直角に設けられている幅が１．０〜３．０ｍｍで長さが５〜１５ｍｍの長穴状の端部側貫通穴７内にも、トレー内に盛った印象材が入り込んでしっかり保持されるので、トレーの両端部の印象材が剥がれ易いという欠点が生じないのである。
【００２２】
このように本発明に係る局部印象用トレーは、外壁２と内壁３との上端に沿って底部１側に設けられたリム４によるアンダーカット部の効果と、外壁２と内壁３とのリム４の直下から底部１に達する特定の幅と間隔で設けた長穴状の貫通穴５と、外壁２と内壁３とに設けられている長穴状の貫通穴５の隣接する間隔の中央に位置する底部１に形成されている特定の直径の円形貫通穴６と、外壁２と内壁３との両端部に位置する各長穴状の貫通穴５の底部側端部を結ぶ線より端部側に底部１の弯曲の軸方向と直角に設けられている特定の幅の長穴状の端部側貫通穴７内にも、トレー内に盛った印象材が入り込んでしっかり保持されるので、硬化後の印象材のトレーから浮き上がりや剥離を防止できるため、精度の高い印象採得を行うことができるのである。
【符号の説明】
【００２３】
１  底部
２  外壁
３  内壁
3a  円弧状部
４  リム
４’  リム
５  長穴状の貫通穴
６  円形貫通穴
７  長穴状の端部側貫通穴
８  ハンドル部
【図１】
0005876356.tif 000002
【図２】
0005876356.tif 000003
【図３】
0005876356.tif 000004
【図４】
0005876356.tif 000005
【図５】
0005876356.tif 000006